(57)【要約】【課題】本体の点検、お手入れが容易であり、ダクト施工や本体設置時の万一のトラブル対応が容易な換気装置を提供することを目的とする。【解決手段】屋外と連通する外気吸込口２と、室内と連通する外気吹出口３と、前記外気吸込口２と外気吹出口３とを給気用送風機を介して連通する給気流路と、室内の空気を取り入れる室内空気吸込口２０と、屋外と連通し、室内空気を排出する室内空気吹出口４と、前記室内空気吸込口２０と室内空気吹出口４とを排気用送風機を介して連通する排気流路を本体に備え、前記外気吸込口２と外気吹出口３、室内空気吹出口４は本体１の上面に、室内空気吸込口は他面に設け、本体１を室内壁面２２に設置するので、本体１のお手入れが容易となり、ダクトの配管はすべて上方向となり、ダクト施工が容易で、不具合があっても修理が簡単な換気装置が得られる。【選択図】図１
2006284049.tif 000002
【特許請求の範囲】
【請求項１】
ダクトを介して屋外と連通する外気吸込口と、同じくダクトを介して室内に開口した給気口と連通する外気吹出口と、前記外気吸込口と外気吹出口とを給気用送風機を介して連通して形成される給気流路と、直接室内の空気を取り入れる室内空気吸込口と、ダクトを介して屋外と連通し、室内空気を排出する室内空気吹出口と、前記室内空気吸込口と室内空気吹出口とを排気用送風機を介して連通して形成される排気流路を本体に備え、前記外気吸込口と外気吹出口、室内空気吹出口は本体の上面に、室内空気吸込口は本体の上面、背面以外の面に設け、本体を室内壁面に設置してなる換気装置。
【請求項２】
給気流路と排気流路が交差する位置に、外気と室内空気を熱交換するための熱交換素子を備えてなる請求項１記載の換気装置。
【請求項３】
本体内下部に熱交換素子を設け、その上方に給気用送風機、排気用送風機、および電装部を設けた請求項２記載の換気装置。
【請求項４】
本体内空間を前後に分ける仕切板に取り付けられ回転軸方向を前後に位置したモーターの後側の回転軸に排気ファンと排気ケーシング、前側の回転軸に給気ファンと給気ケーシングを備え、左右方向に積層した熱交換素子の外気流入面と外気吸込口を連通した外気導入チャンバーを前記排気ケーシングと並設した請求項３記載の換気装置。
【請求項５】
給気用送風機の吸い込み側と熱交換素子を介さないで直接連通したトイレ空気吸込口を本体の上面に設けた請求項３または４記載の換気装置。
【請求項６】
本体の前面下部に開閉可能な点検扉を設けた請求項３、４または５記載の換気装置。
【請求項７】
点検扉に排気フィルターを備えた室内空気吸込口を設けた請求項６記載の換気装置。
【請求項８】
室内空気吸込口に備えた排気フィルターを前面側から着脱自在に取り付けた請求項７記載の換気装置。
【請求項９】
室内空気吸込口の裏側にフード形状に形成した遮音壁を設けた請求項１から８いずれか記載の換気装置。
【請求項１０】
本体外郭の下面に、前後左右の本体周囲面より受け部を突出させたドレン受け皿を一体に設けた請求項目１から９いずれか記載の換気装置。
【請求項１１】
フィルター枠に収納した給気フィルターを熱交換素子の外気流入面に相対して設け、フィルター枠ごと前面の点検扉方向に回動しながら着脱可能とした請求項６から１０のいずれかに記載の換気装置。
【請求項１２】
防虫ネットをフィルターの上流側に位置するフィルター枠開口部にインサート成型し、または溶着により備えた請求項１１記載の換気装置。
【請求項１３】
本体内給気流路下面に虫の死骸、チリなどを受ける凹状の虫受けトレイを備え、点検扉方向に着脱可能とした請求項６から１２のいずれか記載の換気装置。
【発明の詳細な説明】
【技術分野】
【０００１】
本発明は、室内空気を強制排気するとともに、外気を同時に室内に取り込み給気をおこなうことにより、住宅の換気を行なう換気装置に関する。
【背景技術】
【０００２】
従来、この種の換気装置の一例として天井内に本体を設置して複数の部屋の換気を行なう換気装置が知られている（例えば、特許文献１参照）。
【０００３】
以下、その換気装置について図１４および図１５を参照しながら説明する。
【０００４】
図に示すように、下面に排気空気取入口１０１を有し、一側面に複数の部屋と連通する複数の給気口１０２と他側面に屋外と連通する排気と給気の通風口１０３を設けた箱状の本体１０４を形成し、本体１０４の内部には排気用ファン１０５および給気用ファン１０６からなるファンモーター１０７と排気路１０８と給気路１０９を形成し、排気空気と給気空気との間で排熱を回収する熱交換素子１１０を備えている。そして、本体１０４の排気空気取入口１０１に対応する天井１１１に点検口１１２を形成し、点検口１１２にはルーハ゛ー１１３を設け、外気が熱交換素子１１０に給気される側にはフィルター１１４を設け、排気空気取入口１０１側にもフィルター１１５を取り付けている。この換気装置は本体１０４を天井裏１１６に配設し、通風口１０３には屋外と連通するダクト１１７を接続し、給気口１０２には各部屋と連通するように複数のダクト１１８を接続する。
【０００５】
上記構成において、ファンモーター１０７を運転すると、排気用ファン１０５により排気空気取入口１０１より室内の熱気を含む空気が取り入れられ、熱交換素子１１０を通るときに熱分が蓄熱され、通風口１０３に至る排気流路１１９を通り屋外に排気され、一方給気用ファン１０６により通風口１０３より給気された外気は熱交換素子１１０を通るときに熱交換素子１１０に蓄熱された熱分を回収し、複数の給気口１０２に至る給気流路１２０を通り、各部屋に新鮮な空気が取り入れられる。
【特許文献１】特許第３４５６８８０号公報（〔００１８〕〜〔００２１〕、図１および図３）
【発明の開示】
【発明が解決しようとする課題】
【０００６】
このような従来の換気装置では、給気空気の汚れを濾過するフィルター１１４と排気空気の汚れを濾過するフィルター１１５の定期的な点検、お手入れが不可欠であるが、本体１０４から取り出すには点検口１１２が天井１１１のため脚立などにのぼって不安定な姿勢でルーバー１１３を外して作業をする必要があり、高齢者にとっては容易な作業ではないという課題がある。また、排気側のフィルター１１５の汚れは特に頻繁に掃除機での清掃が必要であり、汚れ度合いを確認するためには本体１０４からいちいちフィルター１１５を取り出す必要があるので、なおさら作業が大変であり、清掃するのを忘れてフィルター１１５を汚れたまま使用し続ける事態にもなる。このような状態が続けば排気風量が極端に低下し、冬期においては熱交換素子１１０での熱交換効率が低下し、本体１０４の給気流路１１９のまわりの温度が低下し本体１０４の外郭が結露するなどのおそれもある。従って、フィルター１１５などのお手入れは重要なことであり、点検、お手入れ作業を容易にすることが要求されている。
【０００７】
また、本体１０４を天井裏１１６に設置しており、ダクト１１７、１１８の接続方向と配管方向が一致しない場合などにはダクトの引き回しが容易でない場合がある。またこうした場合にはダクト１１７，１１８の接続口に曲げ応力がかかり、給気口１０２や通風口１０３とダクト１１７，１１８の接続が外れやすくなるおそれがある。万一、設置時に給気口１０２や通風口１０３とダクト１１７、１１８の接続が外れ、空気もれなどの不具合があった場合には天井材をはがさないで修理をすることは困難である。また上記したような本体１０４外郭での結露などの不具合が発生した場合には、天井裏１１６を濡らしてしまうなどのおそれもある。従って、本体設置時のダクト接続を容易にし、本体設置時のトラブル対応を容易にし、本体が結露した場合にも取り付け部周辺を濡らすことがないようにすることが要求されていた。
【０００８】
本発明は、このような従来の課題を解決するものであり、お手入れの必要性の確認とフィルターなどの点検、お手入れを容易に行なう事ができ、またダクトの施工や、本体設置時の万一のトラブル対応が容易で、本体結露時においても問題がでないように配慮した換気装置を提供することを目的としている。
【課題を解決するための手段】
【０００９】
本発明の換気装置は上記目的を達成するために、ダクトを介して屋外と連通する外気吸込口と、同じくダクトを介して室内に開口した給気口と連通する外気吹出口と、前記外気吸込口と外気吹出口とを給気用送風機を介して連通して形成される給気流路と、直接室内の空気を取り入れる室内空気吸込口と、ダクトを介して屋外と連通し、室内空気を排出する室内空気吹出口と、前記室内空気吸込口と室内空気吹出口とを排気用送風機を介して連通して形成される排気流路を本体に備え、前記外気吸込口と外気吹出口、室内空気吹出口は本体の上面に、室内空気吸込口は本体の上面、背面以外の面に設け、本体を室内壁面に設置したものである。
【００１０】
この手段により、本体が室内に設置されるので本体の点検、お手入れが容易であり、ダクトの接続口である外気吸込口と外気吹出口、室内空気吹出口はすべて本体上面にあるので、ダクトの配管は、本体からすべて真っ直ぐ上方向となりダクト施工が容易で、万一ダクトの接続に不具合があっても修理が簡単にできる換気装置が得られる。
【００１１】
また他の手段は、給気流路と排気流路が交差する位置に、外気と室内空気を熱交換するための熱交換素子を備えたものである。
【００１２】
この手段により、室内よりの排気空気からの熱回収が可能となり、室内の暖冷房のエネルギーが節約できる換気装置が得られる。
【００１３】
また他の手段は、本体内下部に熱交換素子を設け、その上方に給気用送風機、排気用送風機、および電装部を設けたものである。
【００１４】
この手段により、熱交換素子が手の届きやすい位置に、また電装部はそれより上方に備えられるので熱交換素子付近の清掃が容易となり、また熱交換素子付近で生じやすい内部結露水の電装部への侵入も防止できる換気装置が得られる。
【００１５】
また他の手段は、本体内空間を前後に分ける仕切板に取り付けられ回転軸方向を前後に位置したモーターの後側の回転軸に排気ファンと排気ケーシング、前側の回転軸に給気ファンと給気ケーシングを備え、左右方向に積層した熱交換素子の外気流入面と外気吸込口を連通した外気導入チャンバーを前記排気ケーシングと並設したものである。
【００１６】
この手段により本体内部の空気流路を効率的に配設することができコンパクトな本体を有した換気装置を得ることができる。
【００１７】
また他の手段は、給気用送風機の吸い込み側と熱交換素子を介さないで直接連通したトイレ空気吸込口を本体の上面に設けたものである。
【００１８】
この手段により、トイレからの排気を熱交換素子を介さないで行なうことができ、トイレの臭気が本体内部でのリークにより給気径路に漏れない換気装置が得られる。
【００１９】
また他の手段は、本体の前面下部に開閉可能な点検扉を設けたものである。
【００２０】
この手段により、手の届きやすい位置で、本体熱交換素子付近の前方が開口されるので、点検、お手入れが容易な換気装置を得ることができる。
【００２１】
また他の手段は、点検扉に排気フィルターを備えた室内空気吸込口を設けたものである。
【００２２】
この手段により、室内空気の熱交換素子への流入が効率的におこなわれ、また排気フィルターの取り付け位置が本体下部に位置するので、お手入れが容易となる換気装置を得ることができる。
【００２３】
また他の手段は、室内空気吸込口に備えた排気フィルターを前面側から着脱自在に取り付けたものである。
【００２４】
この手段により、排気フィルターの汚れが本体に取り付けた状態で確認することができ、
点検扉を開けなくても着脱が可能なので、お手入れの必要性の確認とフィルターのお手入れが容易な換気装置を得ることができる。
【００２５】
また他の手段は、室内空気吸込口の裏側にフード形状に形成した遮音壁を設けたものである。
【００２６】
この手段により、本体内部で発生し室内空気吸込口からもれる運転音が遮音されるので、運転音を低減することが可能な換気装置が得られる。
【００２７】
また他の手段は、本体外郭の下面に、前後左右の本体周囲面より受け部が突出したドレン受け皿を一体に設けたものである。
【００２８】
この手段により、冬期においては本体内部での結露水の発生に加え、本体外郭表面で万一結露が発生しても、ドレン受け皿で結露水をうけとめることができ、室内の床面を濡らすことを防止できる換気装置が得られる。
【００２９】
また他の手段は、フィルター枠に収納した給気フィルターを熱交換素子の外気流入面に相対して設け、フィルター枠ごと前面の点検扉方向に回動しながら着脱可能としたものである。
【００３０】
この手段により、給気フィルターの取り外しが容易となり、お手入れが簡単にできる換気装置が得られる。
【００３１】
また他の手段は、防虫ネットをフィルターの上流側に位置するフィルター枠開口部にインサート成型し、または溶着により備えたものである。
【００３２】
この手段により、給気空気の流入にのって外気の微細な飛翔性の虫が本体内に侵入した場合、防虫ネットにて虫を捕集することができるので、外気吹出し口よりダクトを介して虫が室内に侵入することを防止することが可能な換気装置を得ることができる。
【００３３】
また他の手段は、本体内給気流路下面に虫の死骸、チリなどを受ける凹状の虫受けトレイを備え、点検扉方向に着脱可能としたものである。
【００３４】
この手段により、防虫ネットから落下した虫の死骸やチリなどを虫受けトレイに集め、
容易に廃棄処理することができる換気装置が得られる。
【発明の効果】
【００３５】
本発明によれば、本体が室内に設置されるので本体の点検、お手入れが容易であり、ダクトの接続口である外気吸込口と外気吹出口、室内空気吹出口はすべて本体上面にあるので、ダクトの配管は、本体からすべて真っ直ぐ上方向となりダクト施工が容易で、万一ダクトの接続に不具合があっても修理が簡単にできる換気装置を提供できる。
【００３６】
また、室内よりの排気空気からの熱回収が可能となり、室内の暖冷房のエネルギーが節約できる換気装置を提供できる。
【００３７】
また、熱交換素子が手の届きやすい位置に、また電装部はそれより上方に備えられるので熱交換素子付近の清掃が容易となり、また熱交換素子付近で生じやすい内部結露水の電装部への侵入も防止できる換気装置を提供できる。
【００３８】
また、本体内部の空気流路を効率的に配設することができ、コンパクトな本体を有した換気装置を提供できる。
【００３９】
また、トイレからの排気を熱交換素子を介さないで行なうことができ、トイレの臭気が本体内部でのリークにより給気流路に漏れない換気装置を提供できる。
【００４０】
また、手の届きやすい位置で、本体熱交換素子付近の前方が開口されるので、点検、お手入れが容易な換気装置を提供できる。
【００４１】
また、室内空気の熱交換素子への流入が効率的におこなわれ、また排気フィルターの取り付け位置が本体下部に位置するので、お手入れが容易となる換気装置を提供できる。
【００４２】
また、排気フィルターの汚れが本体に取り付けた状態で確認することができ、点検扉を開けなくても着脱が可能なので、お手入れの必要性の確認とフィルターのお手入れが容易な換気装置を提供できる。
【００４３】
また、本体内部で発生し室内空気吸込口からもれる運転音が遮音されるので、運転音を低減することが可能な換気装置を提供できる。
【００４４】
また、冬期においては本体内部での結露水の発生に加え、本体外郭表面で万一結露が発生しても、ドレン受け皿で結露水をうけとめることができ、室内の床面を濡らすことを防止できる換気装置を提供できる。
【００４５】
また、給気フィルターの取り外しが容易となり、お手入れが簡単にできる換気装置を提供できる。
【００４６】
また、防虫ネットから落下した虫の死骸やチリなどを虫受けトレイに集め、容易に廃棄処理することができる換気装置を提供できる。
【発明を実施するための最良の形態】
【００４７】
本発明の請求項１記載の発明は、ダクトを介して屋外と連通する外気吸込口と、同じくダクトを介して室内に開口した給気口と連通する外気吹出口と、前記外気吸込口と外気吹出口とを給気用送風機を介して連通して形成される給気流路と、直接室内の空気を取り入れる室内空気吸込口と、ダクトを介して屋外と連通し、室内空気を排出する室内空気吹出口と、前記室内空気吸込口と室内空気吹出口とを排気用送風機を介して連通して形成される排気流路を本体に備え、前記外気吸込口と外気吹出口、室内空気吹出口は本体の上面に、室内空気吸込口は本体の上面、背面以外の面に設け、本体を室内壁面に設置したことにより、本体が室内壁面に設置されるので本体の点検、お手入れの作業がオープンスペースで行なえるので容易に行なうことができ、ダクトの接続口である外気吸込口と外気吹出口、室内空気吹出口はすべて本体上面にあるので、すべてのダクトの配管は、接続部から天井に向けて真っ直ぐ上方向に引きこむこととなり、ダクトの接続部に曲げなどの余分な力がかからず、ダクト接続部のテーピングなどの施工が容易に行なえる。また、万一ダクトの接続に不具合があってもダクト接続部をいつでも手直し修理ができるという作用を有する。
【００４８】
また、請求項２記載の発明は、給気流路と排気流路が交差する位置に、外気と室内空気を熱交換するための熱交換素子を備えたことにより、室内からの排気空気が熱交換素子を通過する時に、交差して流れる屋外から取り込まれた外気と熱交換することができ、排出される熱分が一部回収されるので、室内の暖冷房のエネルギーを節約できるという作用を有する。
【００４９】
また、請求項３記載の発明は、本体内下部に熱交換素子を設け、その上方に給気用送風機、排気用送風機、および電装部を設けたことにより、熱交換素子の上流側に配設される給気フィルターや排気フィルターは熱交換素子より低い位置、すなわち手のとどきやすい本体の下部に配設することが可能となり、お手入れの作業が容易となる。また、熱交換素子部では外気と室内空気の熱交換が行なわれるので、条件によっては結露水が発生する場合が考えられるが、電装部が熱交換素子より上方に備えられるので結露水の電装部への侵入も防止できるという作用を有する。
【００５０】
また、請求項４記載の発明、本体内空間を前後に分ける仕切板に取り付けられ回転軸方向を前後に位置したモーターの後側の回転軸に排気ファンと排気ケーシング、前側の回転軸に給気ファンと給気ケーシングを備え、左右方向に積層した熱交換素子の外気流入面と外気吸込口を連通した外気導入チャンバーを前記排気ケーシングと並設したことにより、仕切板の後側を排気ケーシングを備えた排気流路と外気導入流路、仕切り板の前側を室内へ外気を送風するための給気流路として使用することで、本体内部の空気流路を効率的に配設することができ、本体をコンパクトにすることができるという作用を有する。
【００５１】
また、請求項５記載の発明は、給気用送風機の吸い込み側と熱交換素子を介さないで直接連通したトイレ空気吸込口を本体の上面に設けたことにより、トイレからの排気を熱交換素子を介さないで行なうことができ、一般に本体内での漏れによる排気空気と給気空気のまざりは熱交換素子の取り付け部まわりなどでおこりやすいが、トイレ空気は本体内の排気流路に流入した後、直ちに室内空気吹出口よりダクトを介して屋外に排出されるので給気径路に漏れることなくトイレ空気の排気を行なうことができるという作用を有する。
【００５２】
また、請求項６記載の発明は、本体の前面下部に開閉可能な点検扉を設けたことにより、手の届きやすい位置で、本体熱交換素子付近の前方が開口されるので、熱交換素子付近の状態を直接目視で確認することができ、点検、お手入れが容易になるという作用を有する。
【００５３】
また、請求項７記載の発明は、点検扉に排気フィルターを備えた室内空気吸込口を設けたことにより、室内空気は室内空気吸込口より本体内にとり込まれ、すぐ近傍の熱交換素子の室内空気流入面へ流れるという効率的な流路が形成できる。また排気フィルターの取り付け位置が手のとどきやすい本体下部に位置することになり、排気フィルターのお手入れが容易になるという作用を有する。
【００５４】
また、請求項８記載の発明は、室内空気吸込口に備えた排気フィルターを前面側から着脱自在に取り付けたことにより、排気フィルターの汚れ状態が本体に取り付けた状態のまま外部から目視することができ、お手入れが必要かどうか容易に点検することができるようになる。また、排気フィルターを清掃する場合にも、点検扉を開けなくても排気フィルターの着脱が可能なので、排気フィルターのお手入れが容易になるという作用を有する。
【００５５】
また、請求項９の発明は、室内空気吸込口の裏側にフード形状に形成した遮音壁を設けたことにより、本体内部で発生したモーター音や通風音が遮音壁でさえぎられて室内空気吸込口からもれにくくなり、運転音を低減することが可能になるという作用を有する。
【００５６】
また、請求項１０の発明は、本体外郭の下面に、前後左右の本体周囲面より受け部が突出したドレン受け皿を一体に設けたことにより、冬期において、本体内部で発生した結露水を内部で受けることができ、また本体外郭表面で万一結露が発生しても、ドレン受け皿でたれた結露水をうけとめることができ、室内の本体下方の床面を濡らすことを防止できるという作用を有する。
【００５７】
また、請求項１１の発明は、フィルター枠に収納した給気フィルターを熱交換素子の外気流入面に相対して設け、フィルター枠ごと前面の点検扉方向に回動しながら着脱可能としたことにより、給気フィルターの取り外しは手のとどきやすい本体下部の低い位置で、前方向から着脱することができるので、着脱作業が容易となり、給気フィルターのお手入れが簡単にできるという作用を有する。
【００５８】
また、請求項１２の発明は、防虫ネットをフィルターの上流側に位置するフィルター枠開口部にインサート成型し、または溶着により備えたことにより、流入する給気空気にのって外気の微細な飛翔性の虫が外気吸込口より本体内に侵入した場合、防虫ネットを通過することができないため、それ以上虫は通風路中を進むことができないので、外気吹出し口よりダクトを介して虫が室内に侵入することを防止できるという作用を有する。
【００５９】
また、請求項１３の発明は、本体内給気流路下面に虫の死骸、チリなどを受ける凹状の虫受けトレイを備え、点検扉方向に着脱可能としたことにより、防虫ネットで侵入を阻止され、力つきて落下した虫の死骸やチリなどを虫受けトレイに集めることができ、点検扉を開けて手のとどく位置で前方向に引き出すことができ、容易に廃棄処理することができるという作用を有する。
【００６０】
以下、本発明の実施の形態について図面を参照しながら説明する。
【００６１】
（実施の形態１）
図１〜図３に示すように、本発明の換気装置は、箱状の本体１上面部に外気吸込口２と外気吹出口３、室内空気吹出口４を設け、本体１内には上部を前後に分ける仕切り板５とその仕切り板５に取り付けられる両軸タイプのモーター６を有し、前方空間はモーター６により回転駆動される給気ファン７と吹出し部が外気吹出口３に連通した給気ケーシング８を配して給気空間９を形成する。一方、後方空間にはモーター６により回転駆動される排気ファン１０とその吹出し部が室内空気吹出口４に連通した排気ケーシング１１を配して第１の排気空間１２を形成するとともに、その第１の排気空間１２中を貫通する外気導入ダクト１３を並設する。本体内の下部には左右方向に伝熱板を積層した熱交換素子１４を配設し、その一面は外気流出面１５として給気空間９に開口し、直交する隣接面の室内空気流出面１６は第１の排気空間１２に開口する。前記外気導入チャンバー１３の下端は、前記熱交換素子１４の外気流出面１５と連通した反対面の外気流入面１７に連通接続し、上端は外気吸込口２と連通接続し給気流路を形成する。前記熱交換素子１４の室内空気流出面１６と連通した反対面の室内空気流入面１８は本体１内における下部前方を占める第２の排気空間１９に開口し、この第２の排気空間１９に開口した室内空気吸込口２０を本体１外郭の前面に備える。また、仕切り板５の上部前面には、電源の接続部、モーター駆動用のコンデンサーなどを収納した電装ボックス２１を配設する。また前記本体１は室内の納戸や洗面所などの壁面２２に設置され、前記外気吸込口２と外気吹出口３はそれぞれ天井内２３に配設される外気吸込ダクト２４および排気ダクト２５を介して屋外２６と連通する。また、室内空気吹出口４は同じく天井内２３に配設される給気１次ダクト２７、分配器２８、給気２次ダクト２９を介して複数の居室と連通する。
【００６２】
上記構成の換気装置を運転すると、本体１を設置した納戸などの部屋の汚れた空気は排気ファン１０の吸引により室内空気吸込口２０より本体１内の第２の排気空間１９に取り込まれ、熱交換素子１４を通って第１の排気空間１２に流れた後、排気ファン１０と排気ケーシング１１で加圧され、室内空気吹出口４より排気ダクト２５を介して屋外２６に排出される。一方、屋外２６の新鮮な空気は給気ファン７の吸引により外気吸込ダクト２４を介して外気吸込口２より本体１内に取り込まれ、外気導入チャンバー１３内より導かれた熱交換素子１４を通って給気空間９に流れ、給気ファン７と給気ケーシング８で加圧された後、外気吹出口３より給気１次ダクト２７、分配器２８、給気２次ダクト２９を介して複数の居室に吹出される。
【００６３】
上記構成において、外気吸込ダクト２４、排気ダクト２５および給気１次ダクト２７はすべて本体１の上面で接続されて真っ直ぐ上方の天井内２３に引き込まれるため、ダクトの本体接続部に曲げ応力がかからない状態でテーピングなどのダクト接続ができ、施工が容易となる。施工後接続強度が不充分で、本体１とダクトの接続部に空気もれなどの不具合が発生しても、接続部を室内側から容易に手直しが可能である。
【００６４】
また、熱交換素子１４においては積層した複数の伝熱板を介して外気と室内空気が交差し、屋外２６へ排気される室内空気中の熱分の一部が居室内に供給される外気側へ移動して回収される。従って、室内を冷暖房した時のエネルギーの換気による排出ロスを低減することができる。
【００６５】
また、本体１を室内の壁面２２への設置しているので、本体のお手入れ作業をするスペースを充分に確保することができ、熱交換素子１４付近のお手入れにおいても熱交換素子１４の配置を本体１の低い位置にあるため手のとどきやすく、お手入れ作業が容易となる。
【００６６】
また、電装ボックス２１は結露水が発生しやすい熱交換素子１４よりも上方に配置しており、結露水が電装ボックス２１内部に侵入するなどの不安全状態を回避することができる。
【００６７】
また、本体１内において給気ファン７、排気ファン１０、モーター６、熱交換素子１４などの構成部品が効率的な配置となっており、給気流路、排気流路共に最短距離を実現し、流れに無駄が無いので、本体１をコンパクトにすることができる。
【００６８】
（実施の形態２）
図４および図５において実施の形態１と異なるところは、本体１Ａの上面にトイレ空気吸込口３０を追加した点である。図４および図５において、図１、図２および図３と同じ構成要素については同じ符号を用いその説明を省略する。トイレ空気吸込口３０は第１の排気空間１２に開口し、トイレ排気ダクト３１を介してトイレ内に連通する。
【００６９】
上記構成において、換気装置運転時にはトイレ内の臭気を含む空気は、排気ファン１０の吸引によりトイレ排気ダクト３１を通じて本体１Ａ内の第１の排気空間１２に直接取り込まれ、排気ファン１０と排気ケーシング１１により加圧された後、室内空気吹出口４に接続された排気ダクト２５を介して屋外２６に排出される。このように、トイレ内の空気は熱交換素子１４を通らないで排気されることになり、しかもトイレ空気吸込口３０は排気ファン１０に対して上方にあり、熱交換素子１４は反対の下方に位置するので、排気流路の空気が給気流路に漏れるおそれが一番高い熱交換素子１４付近にトイレからの空気が近づかない。従って、トイレの臭気が給気流路にもれて、居室に逆流するなどの恐れがない状態で、トイレの排気をおこなうことができる。
【００７０】
（実施の形態３）
図６は実施の形態３を示すものである。
【００７１】
図６において図１と同じ構成要素については同じ符号を用い、その説明は省略する。
【００７２】
図６に示すように、本体１Ｂの前面には本体１Ｂに固定される化粧パネル３２を備え、その化粧パネル３２の下部分に、熱交換素子１４の室内空気流入面１８と相対し第２の排気空間の前面を形成する部分に着脱可能に開閉できる点検扉３３を設け、排気フィルター３４を備えた室内空気吸込口２０Ａをこの点検扉３３に開口している。
【００７３】
室内空気は室内で発生したほこりなどの汚れを多く含んでいるので熱交換素子１４の室内空気流入面１８が特に汚れやすく定期的に清掃などのお手入れが必要であり、またその上流部において排気流路中の汚れを少しでも軽減する為に設けられた排気フィルター３４においても定期的に清掃する必要がある。この様な状況で、上記構成においては、熱交換素子１４の室内空気流入面１８の前方が低い位置で開放されるので、熱交換素子１４の汚れが確認しやすく、また掃除機などによる清掃が容易に行なえる。また排気フィルター３４においても低い位置に設けられているので清掃が容易となる。
【００７４】
（実施の形態４）
図７に示すように、排気フィルター３４Ａは複数の突起状つめ３５を設けた枠体３６と一体に成型され、点検扉３３Ａの室内空気吸込口２０Ｂの開口周囲には複数のスリット３７が設けられており、排気フィルター３４Ａは前面からつめ３５とスリット３７の嵌合により着脱可能に点検扉３３Ａに取り付けられる。
【００７５】
上記構成において、排気フィルター３４Ａが点検扉３３Ａの前面に設けられるため、取り付け状態で排気フィルター３４Ａの汚れを目視にて確認することができ、排気フィルター３４Ａのお手入れの時期が容易に判断できる。また排気フィルター３４Ａは点検扉３３Ａの前面から着脱可能なので、点検扉３３Ａを開けなくても簡単に取り外して清掃することが可能であり、お手入れが容易になる。
【００７６】
（実施の形態５）
図８および図９は実施の形態５を示すものである。
【００７７】
図８および図９において図１および図２と同じ構成要素については同じ符号を用い、その説明は省略する。
【００７８】
図８および図９に示すように、本体１Ｃの前面下部の点検扉３３Ｂに開口した室内空気吸込口２０Ｃの裏面において、下部に通風開口３８を設けたフード形状の遮音壁３９を点検扉３３Ｂと一体に形成する。
【００７９】
上記構成において、熱交換素子１４における通風音や排気用ファン１０の風切音、モーター６の通電音が熱交換素子１４を通して室内空気吸込口２０Ｃから直接本体１Ｃの外部に漏れるのを、フード形状の遮音壁３９がさえぎり、熱交換素子の反対方向に向いて開口した通風開口３８を回り込んで漏れることになるので、室内空気吸込口２０Ｃからの運転音のもれを減衰させることができ、全体の運転音においても低くできることとなる。
【００８０】
（実施の形態６）
図１０は実施の形態６を示すものである。
【００８１】
図１０において図１、図２、図６および図７と同じ構成要素については同じ符号を用い、その説明は省略する。
【００８２】
図１０に示すように、本体１Ｄの外郭下面を上向き凹形状のドレン受け皿４０とし、前後左右の本体１Ｄの周囲面より受け部を突出させる。
【００８３】
本体内部での結露、特に冬場の排気経路中での結露、また本体１Ｄ外郭面での結露、特に冬場の給気系路付近の本体１Ｄ外郭面での結露は、給気経路と排気経路間および給気経路と本体１Ｄ外郭間に断熱材を設けることにより極力結露をしないように配慮しているが、万一断熱不足などで結露が生じた場合には設置場所の床面などを濡らしてしまう。しかしながら、上記構成においては、万一発生した結露水はすべてドレン受け皿で受けとめられるので床面などを濡らすことはない。
【００８４】
（実施の形態７）
図１１および図１２は実施の形態７を示すものである。
【００８５】
図１１および図１２において、図１、図２および図６と同じ構成要素については同じ符号を用い、その説明は省略する。
【００８６】
図１１および図１２に示すようにフィルター枠４１に着脱可能に収納した給気フィルター４２を熱交換素子１４の外気流入面１７に相対して備える。また、熱交換素子１４を左右に保持して所定の位置に設置する樹脂製の熱交換素子枠４３の内壁側に、熱交換素子枠４３と一体に形成したガイド面４４を設け、左右のガイド面４４と熱交換素子１４の外気流入面１７の間でフィルター枠は位置決め設置されると共に、凹状に緩やかに湾曲したガイド面４４に沿って前記給気フィルター４２はフィルター枠４１ごと回動しながら、点検扉３３Ａ方向に取り外すことが可能となっている。前記フィルター枠４１には給気フィルター４２の上流側にインサート成型などで４０メッシュ程度の防虫ネット４５を備える。
【００８７】
上記構成において、給気フィルター４２は点検扉３３Ａを開き、本体１Ｂの手がとどきやすい下部より、オープンスペースとなる前方向への取外しが可能であるので、着脱が容易となり、お手入れが簡単である。また、給気フィルター４２の上流側の防虫ネット４５において、給気空気の流れにのって外部から侵入した飛翔性の細かい虫を捕集することができるので、給気フィルター４２の製造時のサイズバラツキなどによりフィルター枠４１との間に隙間を生じても、その隙間から虫が室内に侵入するのを確実に防止することができる。
【００８８】
（実施の形態８）
図１３は実施の形態８を示すものである。
【００８９】
図１３において、図１１と同じ構成要素については同じ符号を用い、その説明は省略する。
【００９０】
図１３に示すように、給気フィルター枠４１の防虫ネット４５下方の給気流路下面に上向き方向に凹形状をなし、防虫ネット４５の下方投影面より大きな虫受けトレイ４６を備え、この虫受けトレイ４６はフィルター枠４１を取り外した状態にて点検扉３３Ａ方向にそのまま引き出して取り外すことが可能である。
【００９１】
上記構成において、防虫ネット４５で捕獲された虫は死骸となり、大きなチリなどと混じって虫受けトレイ４６内に落下する。従って、点検扉３３Ａを開けて前記給気フィルターのお手入れをする時には同時に虫受けトレイ４６をそのまま前方に引き出してたまった虫などの死骸を廃棄処理することができるようになり、本体１Ｂ内部でのお手入れ作業が簡単に行なえるようになる。
【産業上の利用可能性】
【００９２】
本体のフィルターや虫受けトレイなどのお手入れ部品と給気流路と排気流路の構成は、換気機能を有する空気調和機の用途にも適用でき、お手入れ作業を容易にするのに有用である。
【図面の簡単な説明】
【００９３】
【図１】本発明の実施の形態１の換気装置の本体を示す断面斜視図
【図２】同換気装置の本体背面斜視図
【図３】同換気装置のシステム概略図
【図４】本発明の実施の形態２の換気装置の本体背面斜視図
【図５】同換気装置のシステム概略図
【図６】本発明の実施の形態３の換気装置の本体要部斜視図
【図７】本発明の実施の形態４の換気装置の点検扉を示す斜視図
【図８】本発明の実施の形態５の換気装置の本体断面図
【図９】同換気装置の点検扉の裏側を示す斜視図
【図１０】本発明の実施の形態６の本体斜視図
【図１１】本発明の実施の形態７の本体要部断面図
【図１２】同換気装置の要部斜視図
【図１３】本発明の実施の形態８の本体要部断面図
【図１４】従来の換気装置の本体断面図
【図１５】同換気装置のシステム概略平面図
【符号の説明】
【００９４】
１      本体
１Ａ    本体
１Ｂ    本体
１Ｃ    本体
１Ｄ    本体
２      外気吸込口
３      外気吹出口
４      室内空気吹出口
５      仕切板
６      モーター
７      給気ファン
８      給気ケーシング
１０    排気ファン
１１    排気ケーシング
１３    外気導入チャンバー
１４    熱交換素子
１７    外気流入面
２０    室内空気吸込口
２０Ａ  室内空気吸込口
２０Ｂ  室内空気吸込口
２０Ｃ  室内空気吸込口
２１    電装ボックス
２２    壁面
２４    外気吸込ダクト
２５    排気ダクト
２６    屋外
２７    給気１次ダクト
２９    給気２次ダクト
３０    トイレ空気吸込口
３３    点検扉
３３Ａ  点検扉
３３Ｂ  点検扉
３４    排気フィルター
３４Ａ  排気フィルター
３９    遮音壁
４０    ドレン受け皿
４１    フィルター枠
４２    排気フィルター
４５    防虫ネット
４６    虫受けトレイ
【図１】
2006284049.tif 000003
【図２】
2006284049.tif 000004
【図３】
2006284049.tif 000005
【図４】
2006284049.tif 000006
【図５】
2006284049.tif 000007
【図６】
2006284049.tif 000008
【図７】
2006284049.tif 000009
【図８】
2006284049.tif 000010
【図９】
2006284049.tif 000011
【図１０】
2006284049.tif 000012
【図１１】
2006284049.tif 000013
【図１２】
2006284049.tif 000014
【図１３】
2006284049.tif 000015
【図１４】
2006284049.tif 000016
【図１５】
2006284049.tif 000017